(57)【要約】【課題】用紙束からの用紙の引き剥がしを容易に行うことができる用紙供給装置、用紙束プリンタおよび用紙束プリントシステムを提供する。【解決手段】基端部を剥離可能に粘着した用紙を多数枚積層して成る用紙束Ｈを、セット位置４８においてセットする載置ステージ３０と、セットした用紙束Ｈの最上位の用紙Ｈ１から１枚ずつ引き剥がして供給する用紙供給手段２２と、セットした用紙束Ｈと引き剥がされる用紙Ｈとが為す引き剥がし角度が大きくなるよう、載置ステージ３０をセット位置４８から引き剥がし角度が大となるエンド位置７５まで移動させるステージ移動手段２４と、を備えた。【選択図】図３
2008030936.tif 000002
【特許請求の範囲】
【請求項１】
基端部を剥離可能に粘着した用紙を多数枚積層して成る用紙束を、セット位置においてセットする載置ステージと、
セットした前記用紙束の最上位の用紙から１枚ずつ引き剥がして供給する用紙供給手段と、
セットした前記用紙束と引き剥がされる前記用紙とが為す引き剥がし角度が大きくなるよう、前記載置ステージを前記セット位置から前記引き剥がし角度が大となるエンド位置まで移動させるステージ移動手段と、
を備えたことを特徴とする用紙供給装置。
【請求項２】
前記用紙供給手段は、前記用紙束から最上位の用紙を捲り上げる捲り上げ動作を行った後、捲り上げた用紙を前記用紙束から引き剥がす引き剥がし動作を行い、
前記ステージ移動手段は、前記引き剥がし動作に連動して、前記載置ステージを移動させることを特徴とする請求項１に記載の用紙供給装置。
【請求項３】
前記ステージ移動手段は、前記セット位置における前記載置ステージに対し、前記エンド位置における前記載置ステージが傾斜するよう、前記載置ステージを傾けながら移動させることを特徴とする請求項１または２に記載の用紙供給装置。
【請求項４】
前記ステージ移動手段は、前記セット位置における前記載置ステージに対し、前記エンド位置における前記載置ステージが平行となるよう、前記載置ステージを平行移動させることを特徴とする請求項１または２に記載の用紙供給装置。
【請求項５】
前記ステージ移動手段は、
前記載置テーブルを前記セット位置側に付勢する付勢部材と、
前記載置テーブルの側面に設けられ、載置される前記用紙束の先端側において幅方向に突出する突起部と、
前記突起部を介して前記載置テーブルの移動をガイドするガイド部と、
基端側を中心に回動自在に構成され、前記突起部を幅方向に直交する方向に押圧して、前記用紙束を前記エンド位置に移動させる押圧レバーと、
前記押圧レバーの駆動源となるアクチュエータと、
を有していることを特徴とする請求項３に記載の用紙供給装置。
【請求項６】
前記ステージ移動手段は、
前記載置テーブルを前記セット位置側に付勢する付勢部材と、
前記載置テーブルを平行移動させる平行移動機構と、
前記平行移動機構を介して、前記載置ステージを前記エンド位置に移動させる押圧レバーと、
前記押圧レバーの駆動源となるアクチュエータと、
を有していることを特徴とする請求項４に記載の用紙供給装置。
【請求項７】
前記ステージ移動手段は、
前記載置テーブルを前記セット位置側に付勢する付勢部材と、
前記載置ステージの側面中央に設けられ、載置される前記用紙束の幅方向に突出する突起部と、
前記突起部を介して前記載置テーブルの移動をガイドするガイド部と、
基端側を中心に回動自在に構成され、前記突起部を幅方向に直交する方向に押圧して、前記用紙束を前記エンド位置に移動させる押圧レバーと、
前記押圧レバーの駆動源となるアクチュエータと、
を有していることを特徴とする請求項４に記載の用紙供給装置。
【請求項８】
引き剥がされる前記用紙の下側に潜入して前記用紙束の基端側を押さえる束押え手段を更に備え、
前記束押え手段は、
前記用紙束に当接してこれを押さえる押え部と、
前記押え部を、前記用紙束を押さえる押え位置と前記用紙束から退避した退避位置との間で移動させるアームと、を有し、
前記押圧レバーは、前記アームを兼ねていることを特徴とする請求項５ないし７のいずれかに記載の用紙供給装置。
【請求項９】
基端部を剥離可能に粘着した用紙を多数枚積層して成る用紙束をセットする載置ステージと、
前記用紙束をセットした前記載置ステージを収容する箱状の用紙束ケースと、
セットした前記用紙束の最上位の用紙から１枚ずつ引き剥がして供給する用紙供給手段と、を備え、
前記用紙束は、セットした前記用紙束と引き剥がされる前記用紙とが為す引き剥がし角度が大きくなるよう、前記載置ステージは、前記用紙束ケースに対し傾斜した状態で収容されていることを特徴とする用紙供給装置。
【請求項１０】
請求項１ないし９のいずれかに記載の用紙供給装置と、
前記用紙供給手段により供給された用紙に印刷を行う印刷手段と、を備えたことを特徴とする用紙束プリンタ。
【請求項１１】
請求項１０に記載の用紙束プリンタと、
前記用紙束プリンタに接続され、前記用紙束プリンタを制御するためのコンピュータと、を備えたことを特徴とする用紙束プリントシステム。
【発明の詳細な説明】
【技術分野】
【０００１】
本発明は、付箋紙束等の用紙束から一枚の用紙を引き剥がして印刷する用紙供給装置、用紙束プリンタおよび用紙束プリントシステムに関するものである。
【背景技術】
【０００２】
従来、この種の用紙供給装置を組み込んだ付箋紙プリンタとして、付箋紙束（用紙束）を載置テーブルに水平にセットし、セットした付箋紙束の最上位の付箋紙に送りローラを転接させて１枚の付箋紙を送りローラに乗り上げるよう捲り上げると共に、送りローラを移動させて付箋紙をサーマルヘッドに挟持させ、送りローラを回転させて付箋紙を引き剥がしながら印刷するものが知られている（特許文献１参照）。この付箋紙プリンタでは、サーマルヘッドと載置テーブルの位置関係および排紙口の位置関係から、付箋紙束と引き剥がされる付箋紙とが為す引き剥がし角度が鋭角となっている。
【特許文献１】特開２００３−２１２３６７号公報
【発明の開示】
【発明が解決しようとする課題】
【０００３】
しかしながら、上記の構成では、付箋紙を鋭角方向に引き出そうとすると、十分な剥離角度を得ることができず、付箋紙間の粘着力の影響を強く受けてしまう。このため、引き剥がし力を大きくして、付箋紙を引き剥がそうとすると、付箋紙は、その貼着部分の引き剥がし中においてのみ強くバックテンションが付与され、貼着部分が引き剥がされた瞬間、付箋紙に付与されていたバックテンションがなくなり、付箋紙が勢いよく送り出される。これにより、付箋紙を引き剥がしながら印刷を開始すると、引き剥がされた瞬間に印刷位置がずれて、印刷された付箋紙は印刷スジ等の印刷不良となる虞がある。
【０００４】
本発明は、用紙束からの用紙の引き剥がしを容易に行うことができる用紙供給装置、用紙束プリンタおよび用紙束プリントシステムを提供することを課題とする。
【課題を解決するための手段】
【０００５】
本発明の用紙供給装置は、基端部を剥離可能に粘着した用紙を多数枚積層して成る用紙束を、セット位置においてセットする載置ステージと、セットした用紙束の最上位の用紙から１枚ずつ引き剥がして供給する用紙供給手段と、セットした用紙束と引き剥がされる用紙とが為す引き剥がし角度が大きくなるよう、載置ステージをセット位置から引き剥がし角度が大となるエンド位置まで移動させるステージ移動手段と、を備えたことを特徴とする。
【０００６】
この構成によれば、ステージ移動手段により載置ステージを移動させることで、セットした用紙束と引き剥がされる用紙とが為す引き剥がし角度が大きくなるため、引き剥がしに際し、十分な剥離角度を得ることができる。このため、用紙束から用紙を容易に引き剥がすことができる。なお、用紙束としては、付箋紙束やメモパッド等を用いることが可能である。また、ステージ移動手段による載置ステージの移動は、用紙供給手段と連動させても良いし、別々に駆動しても良い。
【０００７】
この場合、用紙供給手段は、用紙束から最上位の用紙を捲り上げる捲り上げ動作を行った後、捲り上げた用紙を用紙束から引き剥がす引き剥がし動作を行い、ステージ移動手段は、引き剥がし動作に連動して、載置ステージを移動させることが、好ましい。
【０００８】
この構成によれば、引き剥がす動作と載置ステージを移動させる動作とが同時に行われるため、付箋紙束に対し引き剥がされる付箋紙の引き剥がしポイントが移動しても、ほぼ一定の引き剥がし角度をもって用紙を引き剥がすことができ、安定した引き剥がし動作を行うことができる。
【０００９】
この場合、ステージ移動手段は、セット位置における載置ステージに対し、エンド位置における載置ステージが傾斜するよう、載置ステージを傾けながら移動させることが、好ましい。
【００１０】
この構成によれば、載置ステージを傾斜するように移動させることで、セットした用紙束と引き剥がされる用紙とが為す引き剥がし角度を効果的に大きくすることができる。
【００１１】
この場合、ステージ移動手段は、セット位置における載置ステージに対し、エンド位置における載置ステージが平行となるよう、載置ステージを平行移動させることが、好ましい。
【００１２】
この構成によれば、載置ステージを平行移動させることで、単純な構造でセットした用紙束と引き剥がされる用紙とが為す引き剥がし角度を大きくすることができる。
【００１３】
この場合、ステージ移動手段は、載置テーブルをセット位置側に付勢する付勢部材と、載置テーブルの両側面にそれぞれ設けられ、載置される用紙束の先端側において幅方向に突出する突起部と、突起部を介して載置テーブルの移動をガイドするガイド部と、基端側を中心に回動自在に構成され、突起部を幅方向に直交する方向に押圧して、用紙束をエンド位置に移動させる押圧レバーと、押圧レバーの駆動源となるアクチュエータと、を有していることが、好ましい。
【００１４】
この構成によれば、押圧レバーにより、突起部を押圧することで、載置テーブルがガイド部にガイドされながら、載置テーブルをエンド位置に適切に傾動させることができる。一方、押圧レバーによる押圧が解除されることで、付勢部材の付勢により、載置テーブルは、セット位置に適切に戻ることができる。
【００１５】
この場合、ステージ移動手段は、載置テーブルをセット位置側に付勢する付勢部材と、載置テーブルを平行移動させる平行移動機構と、平行移動機構を介して、載置ステージをエンド位置に移動させる押圧レバーと、押圧レバーの駆動源となるアクチュエータと、を有していることが、好ましい。
【００１６】
この構成によれば、押圧レバーにより平行移動機構を介して載置テーブルをエンド位置に適切に平行移動させることができる。一方、押圧レバーによる押圧が解除されることで、付勢部材の付勢により、載置テーブルは、平行移動機構を介してセット位置に適切に戻ることができる。
【００１７】
この場合、ステージ移動手段は、載置テーブルをセット位置側に付勢する付勢部材と、載置ステージの側面中央に設けられ、載置される用紙束の幅方向に突出する突起部と、突起部を介して載置テーブルの移動をガイドするガイド部と、基端側を中心に回動自在に構成され、突起部を幅方向に直交する方向に押圧して、用紙束をエンド位置に移動させる押圧レバーと、押圧レバーの駆動源となるアクチュエータと、を有していることが、好ましい。
【００１８】
この構成によれば、押圧レバーにより、突起部を押圧することで、載置テーブルがガイド部にガイドされながら、載置テーブルをエンド位置に適切に平行移動させることができる。一方、押圧レバーによる押圧が解除されることで、付勢部材の付勢により、載置テーブルは、セット位置に適切に戻ることができる。
【００１９】
この場合、引き剥がされる用紙の下側に潜入して用紙束の基端側を押さえる束押え手段を更に備え、束押え手段は、用紙束に当接してこれを押さえる押え部と、押え部を、用紙束を押さえる押え位置と用紙束から退避した退避位置との間で移動させるアームと、を有し、押圧レバーは、アームを兼ねていることが、好ましい。
【００２０】
この構成によれば、用紙束から用紙を引き剥がす際、押え部は、セットした用紙束を押さえた状態とする。これにより、用紙を先端側に引くように引き剥がしても、用紙束が浮き上がることなく用紙束のセット状態を安定に維持することができるため、用紙を一枚ずつ適切に引き剥がすことができる。また、押圧レバーがアームを兼ねることにより、用紙束の押さえと、載置テーブルの移動とを同時に行うことができるため、各動作を効率よく行うことができ且つ構造を単純化することができる。
【００２１】
本発明の他の用紙供給装置は、基端部を剥離可能に粘着した用紙を多数枚積層して成る用紙束をセットする載置ステージと、用紙束をセットした載置ステージを収容する箱状の用紙束ケースと、セットした用紙束の最上位の用紙から１枚ずつ引き剥がして供給する用紙供給手段と、を備え、用紙束は、セットした用紙束と引き剥がされる用紙とが為す引き剥がし角度が大きくなるよう、載置ステージは、用紙束ケースに対し傾斜した状態で収容されていることを特徴とする。
【００２２】
この構成によれば、傾斜した載置ステージに用紙束をセットすることで、セットした用紙束と引き剥がされる用紙とが為す引き剥がし角度が大きくなるため、引き剥がしに際し、十分な剥離角度を得ることができる。このため、用紙束から用紙を容易に引き剥がすことができる。
【００２３】
本発明の用紙束プリンタは、上記の用紙供給装置と、用紙供給手段により供給された用紙に印刷を行う印刷手段と、を備えたことを特徴とする。
【００２４】
この構成によれば、用紙束から用紙を容易に引き剥がすことができるため、用紙を安定して送ることができる。これにより、用紙の引き剥がし中に、用紙へ印刷する場合も、安定して印刷を行うことができるため、用紙の引き剥がしに伴う印刷不良を無くすことができる。
【００２５】
本発明の用紙束プリントシステムは、上記の用紙束プリンタと、用紙束プリンタに接続され、用紙束プリンタを制御するためのコンピュータと、を備えたことを特徴とする。
【００２６】
この構成によれば、コンピュータの入力装置、表示装置、ＣＰＵ等を利用して、用紙束から用紙を容易に引き剥がし、安定して印刷を行うことができるため、用紙の引き剥がしに伴う印刷不良を無くすことができる。
【発明を実施するための最良の形態】
【００２７】
以下、添付の図面を参照して、本実施形態に係る用紙供給装置を付箋紙プリンタ（用紙束プリンタ）に組み込んだ場合について説明する。この付箋紙プリンタは、付箋紙束プリントシステム（用紙束プリントシステム）を構成する装置の１つであり、パソコンで編集した印刷データに基づいて、セットした付箋紙束（用紙束）から最上位の付箋紙を捲り上げ、捲り上げた付箋紙を引き剥がしながら印刷を行って、装置外部に印刷済みの付箋紙を排出するものである。先ず、付箋紙プリントシステムについて説明する。
【００２８】
図１に示すように、付箋紙プリントシステム１は、付箋紙束Ｈがセットされる付箋紙プリンタ２と、付箋紙プリンタ２にＵＳＢ４等で接続され、付箋紙Ｈ１に印刷するための印刷データを作成・編集すると共に、付箋紙プリンタ２の各種駆動を制御するパソコン３とから構成されている。
【００２９】
パソコン３は、パソコン本体５と、パソコン本体５に接続され、データを入力するキーボード６およびマウス７と、入力結果等を表示するディスプレイ８とを有しており、パソコン本体５には、付箋紙プリンタ２に関するアプリケーションソフト（プログラム）やデバイスドライバ等のデータを記憶したＣＤ−ＲＯＭ９が着脱自在にセットされている。そして、キーボード６等から各種検出信号、各種指令、各種データ等が入力されると、パソコン３は、ＣＤ−ＲＯＭ９内のプログラムに従って、各種データを処理し、付箋紙プリンタ２を制御するようになっている。
【００３０】
なお、当然ではあるが、付箋紙プリンタ２に印刷データの作成・編集機能や各部の制御機能を設け、付箋紙プリンタ２を単体として用いて、付箋紙Ｈ１に対する印刷を行うようにしてもよい。
【００３１】
図２に示すように、付箋紙プリンタ２は、装置ケース１５により外殻が形成され、装置ケース１５の内部には、付箋紙束Ｈがセットされている。そして、付箋紙プリンタ２は、セットした付箋紙束Ｈから１枚ずつ引き剥がした付箋紙Ｈ１に対し、パソコン３で作成した所望のキャラクタ列を印刷し、これを装置ケース１５に形成した排紙部１３から送り出すようにしている。
【００３２】
装置ケース１５は、全体として小型に形成されており、前面下方には付箋紙束Ｈをケース内部に前方から導入するための付箋紙導入開口１７が形成されている。排紙部１３は、前面中央に設けられると共に印刷済み付箋紙Ｈ１をケース外部に送り出すための水平スリット状の排紙口１６と、排紙口１６廻りに設けられ、引き剥がされた印刷済み付箋紙Ｈ１を受け留める受け部１４と、が形成されている。また、装置ケース１５の上面には、インクリボンＲを収容したリボンカートリッジＣを装着すると共に、メンテナンスのための開閉蓋１８が取り付けられている。
【００３３】
図３に示すように、付箋紙束Ｈは、裏面の基端部を部分糊付けした複数の付箋紙Ｈ１から構成されている。すなわち、付箋紙束Ｈは、同一形状（長方形）且つ同一サイズの複数の付箋紙Ｈ１を、それぞれ裏面の基端部を部分糊付けして積層したものである。付箋紙Ｈ１は、付箋紙束Ｈから１枚ずつ剥離可能に構成されていると共に、剥離後に、この基端部の糊付け部（接着剤）を介して、手帳等の被貼着物に再貼着可能に構成されている。
【００３４】
付箋紙プリンタ２は、付箋紙束Ｈをセットする載置ステージ３０を有する付箋紙ホルダ２０と、セットした付箋紙束Ｈの最上位の付箋紙Ｈ１を捲り上げ、後述する挟持位置５５に臨ませると共に装置外部に排紙する付箋紙供給手段（用紙供給手段）２２と、挟持位置５５に臨んだ付箋紙Ｈ１に印刷を行う印刷手段２３と、載置ステージ３０を傾動させるステージ移動手段２４と、付箋紙Ｈ１の引き剥がしに際し付箋紙束Ｈを押さえる束押え手段２５と、を備え、これらは上記した装置ケース１５内に収容されている。
【００３５】
図３に示すように、付箋紙ホルダ２０は、上面を開放すると共にボックス状に形成された付箋紙束ケース２９と、付箋紙束ケース２９に収容され、付箋紙束Ｈを水平に載置することが可能な載置ステージ３０と、で構成され、載置ステージ３０と付箋紙束ケース２９の底面との間には、載置ステージ３０を上方に付勢する４本のコイルバネ（２本のみ図示：付勢部材）３２が介設されている。また、付箋紙ホルダ２０は、装着ケース１５に対し、引き出し式で装着する構成となっており、付箋紙導入開口１７を介して着脱自在に装着する。このため、付箋紙束Ｈの交換または取替えを行う際には、付箋紙ホルダ２０ごと取り出して、付箋紙束Ｈをセットする。
【００３６】
付箋紙束ケース２９は、載置ステージ３０を傾動自在に案内する四周枠状のケース本体３３と、ケース本体３３の上端部に設けられ、付箋紙束Ｈの先端部を押さえるよう内向きに突設された位置規制部３４と、で一体に形成されている。ケース本体３３は、収容する付箋紙束Ｈの幅方向と同じ幅に形成されている一方、付箋紙束Ｈの幅方向に直交する長手方向において、付箋紙束Ｈよりも僅かに長く、具体的には、付箋紙束Ｈの断面における対角線と同じ長さに形成されている。このため、付箋紙束ケース２９に付箋紙束Ｈを引っ掛けることなく、付箋紙束Ｈを円滑に傾けながら移動させることが可能となっている。
【００３７】
ケース本体３３の両側面には、先端側（図３左側）および基端側（図３右側）に各一対の端部ガイド孔（各１つのみ図示）３９が形成されると共に、中央先端寄りに一対の中央ガイド孔（１つのみ図示）４０が形成され、これら端部ガイド孔３９および中央ガイド孔４０により載置ステージ３０の移動がガイドされるようになっている。
【００３８】
載置ステージ３０は、長手方向において載置する付箋紙束Ｈの長さよりも僅かに短く、且つ付箋紙束Ｈと同幅のプレート状に形成されており、その両側面には、上記の各一対の端部ガイド孔３９にスライド自在に係合する各一対の端部突起部４４と、一対の中央ガイド孔４０にスライド自在に係合する一対の中央突起部４５とが幅方向に突設されている。すなわち、載置ステージ３０の先端側および基端側に一対ずつ、中央先端寄りに一対、計３組設けられている。３組の突起部４４、４５は、その一対の中央突起部４５が、後述する一対の押圧レバー６５に押圧され、各突起部４４、４５はそれぞれ同サイズに形成されている。
【００３９】
この付箋紙ホルダ２０に、付箋紙束ケース２９の上方から付箋紙束Ｈを載置ステージ３０にセットすると、付箋紙束Ｈは、コイルバネ３２により上方に付勢されると共に、位置規制部３４により、水平に載置された状態でセット位置４８に位置規制される。
【００４０】
付箋紙供給手段２２は、セット位置４８に臨んだ付箋紙束Ｈの最上位の付箋紙Ｈ１を捲り上げるよう構成されており、最上位の付箋紙Ｈ１に転接してこれを捲り上げると共に後述するサーマルヘッド５０との間に捲り上げた付箋紙Ｈ１を挟持して回転送りする送りローラ５１と、送りローラ５１の駆動源となる駆動モータ５２と、駆動モータ５２の駆動力を送りローラ５１に伝達する減速ギヤ列５３と、送りローラ５１を付箋紙Ｈ１を捲り上げるセット位置４８と付箋紙Ｈ１をサーマルヘッド５０と挟持する挟持位置５５との間で移動させるローラ移動手段５４と、を備えている。
【００４１】
送りローラ５１は、捲り上げた付箋紙Ｈ１の先端側の裏面に転接すると共に、挟持位置５５において、これを引き剥がしながら回転送りするものであり、付箋紙Ｈ１に直接転接するローラ本体５８と、ローラ本体５８を回転自在に軸着したローラ駆動軸５９とを有している。ローラ駆動軸５９は、両端部をローラ移動手段５４に回転自在に両持ちで保持され、減速ギヤ列５３を介して伝達される駆動モータ５２の動力により回転する。また、送りローラ５１は、付箋紙Ｈ１に転接してこれを捲り上げる機能と、後述するサーマルヘッド５０と協働するプラテンローラの機能とを併せ持つようになっている。
【００４２】
ローラ移動手段５４は、先端部でローラ駆動軸５９を回転自在に保持すると共に、基端部を中心に回動（揺動）自在に構成された一対の回動アーム６０を有しており、例えば、一方の回動アーム６０をキャリアとし、且つ上記の減速ギヤ列５３を構成する一部のギヤを利用した遊星歯車機構と、そのギヤの回転力を回動アーム６０の回動動作に変換するカム機構とにより構成されている。すなわち、遊星歯車機構による円運動が、カム機構により回動アーム６０の往復回動運動に変換されるようになっている。この回動アーム６０の往復回動運動により、送りローラ５１が、回転しながらセット位置４８と挟持位置５５との間で移動する。
【００４３】
印刷手段２３は、排紙口１６の近傍に配設されると共に送りローラ５１と同幅に形成されたサーマルヘッド５０と、装着されたリボンカートリッジＣのインクリボンＲを巻き取るリボン巻取り機構（図示省略）とを有している。リボンカートリッジＣは、インクリボンＲを繰り出し自在に巻回したリボン繰出しリール６１と、インクリボンＲを巻き取るリボン巻取りリール６２と、これらを回転自在に収容するカートリッジケース（図示省略）とから構成されている。また、リボン巻取り機構は、送りローラ５１が挟持位置５５へ移動すると、上記の減速ギヤ列５３と連結して駆動モータ５２からの動力が入力するようになっており、付箋紙Ｈ１の送りと併せて、インクリボンＲの巻取り（送り）を開始するようになっている。
【００４４】
このようにして構成された印刷手段２３は、パソコン３からの制御信号により、サーマルヘッド５０および駆動モータ５２が制御されながら、付箋紙Ｈ１に対する印刷を行う。すなわち、挟持位置５５に移動した送りローラ５１とサーマルヘッド５０との間で、付箋紙Ｈ１とインクリボンＲとを挟み込み、これらを併走させて送りつつ、サーマルヘッド５０の発熱駆動により付箋紙Ｈ１の表面に印刷を行う。
【００４５】
束押え手段２５は、基端側を中心に回動自在に構成された一対の押圧レバー６５と、一対の押圧レバー６５の先端側に保持された押え部６６と、を有している。押え部６６は、付箋紙束Ｈの幅方向と同幅に形成されており、付箋紙束Ｈの基端側を押さえ込む構成となっている。一対の押圧レバー６５の基端部は、付箋紙束ケース２９の両側面を挟み込むよう付箋紙束Ｈの先端部側に配置されており、上記の減速ギヤ列５３を介して駆動モータ５２により駆動されている。また、一対の押圧レバー６５の移動は、付箋紙供給手段２２と連動しており、押え部６６を、付箋紙束Ｈを押さえる押え位置７０と付箋紙束Ｈから退避した退避位置７１との間で移動する。具体的には、付箋紙供給手段２２は、付箋紙束Ｈから付箋紙Ｈ１を捲り上げる捲り上げ動作を行った後、捲り上げた付箋紙Ｈ１を引き剥がす引き剥がし動作を行い、束押え手段２５は、引き剥がし動作と連動して、押え部６６を捲り上げた付箋紙Ｈ１の下側へ潜入させ付箋紙束Ｈを押さえる構成となっている。
【００４６】
ステージ移動手段２４は、上記のコイルバネ３２と、一対の中央突起部４５と、一対の中央突起部４５に対応する一対の中央ガイド孔４０と、一対の押圧レバー６５とで構成されている。すなわち、一対の押圧レバー６５は、束押え手段２５とステージ移動手段２４とで兼用されている。このため、一対の押圧レバー６５は、押え部６６を退避位置７１から押え位置７０へ移動させることで、各押圧レバー６５の下端面により、一対の中央突起部４５を押圧して、載置ステージ３０を付箋紙束ケース２９にセットしたセット位置４８から、付箋紙束Ｈと引き剥がされる付箋紙Ｈ１の引き剥がし角度が大となるエンド位置７５へ移動させる。これにより、一対の押圧レバー６５は、付箋紙束Ｈの押さえと、載置ステージ３０の移動を同時に行うことができ、各動作を効率よく行うと共に、構造を単純化することができる。
【００４７】
ここで、図４を参照して、一対の押圧レバー６５による載置ステージ３０の移動に関する一連の動作について説明する。印刷待機状態において、送りローラ５１は、セット位置４８にあり、付箋紙ホルダ２０にセットされた付箋紙束Ｈの最上位の付箋紙Ｈ１の表面に転接している。また、一対の押圧レバー６５は押え部６６を退避位置７１に臨ませている。
【００４８】
ユーザがパソコン３により印刷開始を指示すると、送りローラ５１は、回転して付箋紙Ｈ１を捲り上げる。捲り上げた付箋紙Ｈ１は、その先端部が送りローラ５１に乗り上げ、付箋紙Ｈ１を載せた送りローラ５１は、続いて、回転（自転）しながら挟持位置５５に移動（公転）する。この移動に連動して、一対の押圧レバー６５は、押え部６６を退避位置７１から押え位置７０へ移動させる。すると、押え部６６は、引き剥がされる付箋紙Ｈ１の下端面に潜入して付箋紙束Ｈの基端側を押さえると共に、各押圧レバー６５の下端面に各中央突起部４５が当接して、載置ステージ３０をセット位置４８からエンド位置７５に臨むよう、載置ステージ３０の先端側を押し下げるようにして傾けながら移動させてゆく。
【００４９】
載置ステージ３０を傾けながら移動させてゆくと、挟持位置５５に臨んだ送りローラ５１は、付箋紙Ｈ１を付箋紙束Ｈから引き剥がしてこれに印刷を行う。すなわち、引き剥がし動作とステージ移動動作とが同時に行われることで、付箋紙束Ｈから引き剥がされてゆく付箋紙Ｈ１の引き剥がしポイントが移動しても、ほぼ一定の引き剥がし角度をもって付箋紙Ｈ１を引き剥がすことができ、これにより、引き剥がし動作を安定的に行うことができる。
【００５０】
引き剥がした付箋紙Ｈ１への印刷が終了すると、各押圧レバー６５は、押え部６６を押え位置７０から退避位置７１へ移動させる。すると、載置ステージ３０は、コイルバネ３２の付勢によりセット位置４８まで押し上げられる。そして、各押圧レバー６５が退避位置７１に臨むと共に、これに相前後して、送りローラ５１が下動して、セット位置４８に移動する。
【００５１】
以上の構成によれば、ステージ移動手段２４により載置ステージ３０を移動させることで、セットした付箋紙束Ｈと引き剥がされる付箋紙Ｈ１とが為す引き剥がし角度が大きくなるため、引き剥がしに際し、十分な剥離角度を得ることができる。このため、容易に付箋紙束Ｈから付箋紙Ｈ１を引き剥がすことができ、また、付箋紙Ｈ１への印刷も安定して行うことができるため、付箋紙Ｈ１の引き剥がしに伴う印刷不良を無くすことができる。なお、本実施形態では、付箋紙束Ｈを用いたが、これに代えて、固定端面を接着したメモパッド等を用いることも可能である。また、本実施形態では、付箋紙供給手段２２、束押え手段２５およびステージ移動手段２４を連動して構成したが、各手段が個々に駆動するよう構成しても良い。
【００５２】
次に、図５を参照して、第２実施形態に係る付箋紙プリンタ１００について説明する。なお、重複した記載を避けるため、異なる部分についてのみ説明する。この付箋紙プリンタ１００は、載置ステージ３０と付箋紙束ケース２９の底面との間に平行移動機構８０が設けられており、載置ステージ３０に設けた一対の中央突起部４５に代えて、平行移動機構８０には、一対の移動軸部８１が設けられ、この一対の移動軸部８１が一対の押圧レバー６５により押圧される構成となっている。
【００５３】
平行移動機構８０は、いわゆるＸリンクで構成されており、交差部分に設けられた軸部は、付箋紙束ケース２９の両側面を介して幅方向に突出する一対の移動軸部８１である。この一対の移動軸部８１の移動軌跡に対応して、これをガイドする一対のガイド孔８２が付箋紙束ケース２９の両側面に設けられている。そして、Ｘリンクの図示左側の２つの軸は載置ステージおよび付箋紙束ケースに回動自在に設けられ、図示右側の２つの軸は載置ステージおよび付箋紙束ケースに回動自在に且つ水平方向にスライド自在に設けられている。
【００５４】
一対の押圧レバー６５により、一対の移動軸部８１を押圧すると、載置ステージ３０は水平姿勢を維持したまま下方に向けてエンド位置７５まで平行移動する。これにより、付箋紙束Ｈと引き剥がされる付箋紙Ｈ１とが為す引き剥がし角度を大きくすることができ、容易に付箋紙束Ｈから付箋紙Ｈ１を引き剥がすことができる。一方、一対の押圧レバー６５が退避位置７１へ移動するとコイルバネ３２により、載置ステージ３０が上方へ平行移動し、セット位置４８へ適宜臨むこととなる。なお、上記のＸリンクに代えて、第１実施形態の一対の中央突起部４５を載置ステージ３０の側面中央に移動させると共に、載置ステージ３０に対し先端側と基端側とのコイルバネ３２による付勢力を均等にすることで、平行移動させることも可能である。
【００５５】
次に、図６を参照して、第３実施形態に係る付箋紙プリンタ２００について説明する。この付箋紙プリンタ２００は、第１実施形態のステージ移動手段２４を有しておらず、第１実施形態の載置ステージ３０に対し、予め載置ステージ３０の先端側が下がるよう傾斜して配設されている。すなわち、この付箋紙ホルダ２０は、付箋紙束ケース２９の底面に、先端側よりも基端側が高く構成された傾斜板８５を配置し、載置ステージ３０の間に４本のコイルバネ３２を介設して構成されている。このため、この載置ステージ３０にセットされた付箋紙束Ｈは、水平位置から傾斜した状態となっており、このため、付箋紙束Ｈと引き剥がされる付箋紙Ｈ１とが為す引き剥がし角度は大きくなる。これにより、容易に付箋紙束Ｈから付箋紙Ｈ１を引き剥がすことができる。
【図面の簡単な説明】
【００５６】
【図１】本実施形態に係る付箋紙プリントシステムの模式図である。
【図２】本実施形態に係る付箋紙プリンタの外観斜視図である。
【図３】本実施形態に係る付箋紙プリンタの内部模式図である。
【図４】ステージ移動手段による載置ステージの移動に関する説明図である。
【図５】第２実施形態に係る付箋紙プリンタの内部模式図である。
【図６】第３実施形態に係る付箋紙プリンタの内部模式図である。
【符号の説明】
【００５７】
１…付箋紙プリントシステム  ２…付箋紙プリンタ  ２４…ステージ移動手段  ２５…束押え手段  ３９…端部ガイド孔  ４０…中央ガイド孔  ４４…端部突起部  ４５…中央突起部  ４８…セット位置  ５５…挟持位置  ７０…押え位置  ７１…退避位置  ７５…エンド位置  ８０…平行移動機構  ８１…移動軸部  ８２…ガイド孔  ８５…傾斜板  Ｈ…付箋紙束  Ｈ１…付箋紙
【図１】
2008030936.tif 000003
【図２】
2008030936.tif 000004
【図３】
2008030936.tif 000005
【図４】
2008030936.tif 000006
【図５】
2008030936.tif 000007
【図６】
2008030936.tif 000008